(57)【要約】【課題】本発明は以上のような従来の技術に鑑みてなされたものであって、シャワ−ユニットの防水パンに排水トラップに向けた排水勾配を確保すると共に、足元の安全性の高い防水パンを提供するものである。【解決手段】住宅の床上に設置されるシャワーユニットの防水パンにかかるものであって、防水パンの中央部分は使用者の足が置ける広さの平坦部とすると共に、これより周縁部に至るまで勾配をもって傾斜部となし、周縁部の最も低い位置に排水用穴を形成したことを特徴とするシャワ−ユニットの防水パン。１０‥防水パン、１１‥排水穴、１２‥補強材、１３‥脚ボルト、１４‥排水トラップ、２０‥防水パンの中央部位の平坦部、２１‥平坦部の周囲の傾斜面。【選択図】　図２
2004124565.tif 000002
【特許請求の範囲】
【請求項１】
住宅の床上に設置されるシャワーユニットの防水パンにかかるものであって、防水パンの中央部分は使用者の足が置ける広さの平坦部とすると共に、これより周縁部に至るまで勾配をもって傾斜部となし、周縁部の最も低い位置に排水用穴を形成したことを特徴とするシャワ−ユニットの防水パン。
【請求項２】
平坦部より周縁部に至るまでの勾配を徐々に大きくした請求項１乃至３記載のシャワーユニットの防水パン。
【請求項３】
周縁部に排水溝を設けた請求項１又は２記載のシャワーユニットの防水パン。
【請求項４】
少なくとも平坦部に滑止め突起を形成した請求項１乃至３記載のシャワーユニットの防水パン。
【請求項５】
滑り止め突起が足裏のツボを刺激する配置とした請求項４記載のシャワーユニットの防水パン。
【発明の詳細な説明】
【０００１】
【発明の属する技術分野】
本発明は、主として住宅用シャワーユニットの防水パンの構造に関するものである。
【０００２】
【従来の技術】
住宅用シャワーユニットは、住宅の床上にシャワーユニットの防水パンを設置し、この防水パン上、或いはこの周囲に壁パネル、ドアパネルを立設し、更にその上部に天井パネルを取り付け、ユニット内にシャワーを配設してシャワーユニットを組み立てている。
【０００３】
そして、このシャワーユニットの排水構造としては、防水パンのドアパネルと反対側の裏側に排水トラップを設けるのが普通であって、このため、図８に示すように通常の防水パン１はドアパネル側が最も高く、正面に向けて一方向に傾く勾配を付けたものが用いられていた。他の防水パン１としては、図９に示すように中央部分２が最も高く、周縁部及び排水トラップ３に向けて勾配を付けるものもある。しかるに、このような防水パン１にあっては、シャワ−使用者は足元が不安定なままでシャワ−を浴びることとなる。
【０００４】
【発明が解決しようとする課題】
本発明は以上のような従来の技術に鑑みてなされたものであって、シャワ−ユニットの防水パンに排水トラップに向けた排水勾配を確保すると共に、足元の安全性の高い防水パンを提供するものである。
【０００５】
【課題を解決するための手段】
本発明の要旨は、住宅の床上に設置されるシャワーユニットの防水パンにかかるものであって、防水パンの中央部分は使用者の足が置ける広さの平坦部とすると共に、これより周縁部に至るまで勾配をもって傾斜部となし、周縁部の最も低い位置に排水用穴を形成したことを特徴とするものである。
【０００６】
そして、平坦部より周縁部に至るまでの勾配を徐々に大きくすることもでき、更に、周縁部に溝を設け、ここに排水用穴を備えることもできる。
【０００７】
【発明の実施の形態】
比較的狭いシャワーユニットの中では、使用者の身長や体形にはあまり関係なく足の置き場は防水パンの中央部位に限定される。そして、防水パンの機能として防水性、排水性の他に使用者の姿勢の安定性が求められる。しかしながら、従来より排水性に重点が置かれていることから、前記したように排水穴２に向かって防水パン１全体に勾配が付けられたものである。
【０００８】
このように、従来の防水パンを用いたシャワ−ユニットを利用する際、防水パンの中央部位に立ってシャワ−を浴びることになるが、使用者は足元が極めて不安定のままシャワ−を浴びることになる。従って、シャワ−の使用者は自身の姿勢を常時足腰で矯正する必要があり、シャワ−ユニットに入る瞬間にバランスを崩し、転倒する懸念もあった。
【０００９】
本発明は、前記したようにシャワーユニットの使用に際し、最も足が置かれる可能性の高い防水パンの中央部位を平坦部として足の置き場を確保したものであり、正しい姿勢でシャワーを浴びることが可能となったものである。
【００１０】
尚、本発明で言う足の置き場となる平坦部とは、幾何学的に完全に平坦である必要はなく、足元が安定となるだけの平坦さであれば良いことは勿論であり、場合によっては、防水パンの中央部位の周辺に突起を備え、その突起の背丈を周縁に近付くにつれて徐々に増して行くことにより、実質的に平坦部を形成することもできることは言うまでもない。尚、少なくとも足の置き場となるかかる平坦部に滑止め突起を形成することもでき、しかも、かかる突起の背丈や大きさを工夫して配置することによって、足裏のツボを刺激し、マッサ−ジ効果をもたらすことも可能である。
【００１１】
【実施例】
以下、図面をもって本発明を更に詳細に説明する。
図１は本発明の防水パン１０の第１実施例を示す平面図、図２は図１の主要部の断面図であり、この例では防水パン１０は平面視で正方形をなし、シャワーユニット内への入り口に対向する位置に排水穴１１が形成されている。この例における防水パン１０は裏側に配置された補強材１２に高さ調節が可能な脚ボルト１３が備えられており、一定の高さの調整が可能となっており、その空間に排水穴１１に直結した排水トラップ１４が備えられている。
【００１２】
さて、かかる防水パン１０にあって、シャワ−使用者の立つ位置である防水パン１０の中央部位に足を置くことができるだけの広さの平坦部２０を備えたものであり、その周囲の防水パン１０の面２１に排水穴１１に水を導くために勾配（ａ）を付けたものである。
【００１３】
このようにしたことによってシャワ−を使用するものは常に足元が安定した状態でシャワ−を浴びることが可能となったもので、入退出時の転倒等の可能性も極めて少なくなったものである。
【００１４】
尚、排水穴１１の位置は通常は防水パン１０の周縁部であればいずれの位置にあっても良く、例えば上記の防水パン１０において、コ−ナ−部位に備えられるものであっても良いことは勿論である。かかる排水穴１１について言えば、排水を良くするために排水穴１１は最も低い位置に備えられるものであり、このため、防水パン１０の周縁にも排水穴１１に向かって若干の勾配が付けておくのが良い。
【００１５】
平坦部２０の周囲の防水パン１０の面２１に勾配（ａ）を付けるものではあるが、必ずしも均一の勾配が常に付けられるものでもなく、防水パン１０の周縁になるにつれてその勾配が徐々に急になるようにも構成が可能であり、更には、図３、図４にて示すように防水パン１０の周縁に排水溝２２を備え、この溝２２内に排水穴１１が開けられていても良い。この場合も排水溝２２は排水穴１１に向かって若干の勾配が形成されるべきである。
【００１６】
図５は本発明の更に別例の防水パン１０の例であり、この例では、防水パン１０の勾配の付け方等は例えば従来の勾配そのままであっても良いが、防水パン１０の中央部位（足を乗せる部位）の周囲に突起２３を多数形成し、例えばこの背丈を周縁になるにつれて大きく形成し、実質的に突起２３の頂面にて足を置くだけの平坦部２０を形成することも可能である。
【００１７】
防水パン１０の中央部位に備える平坦部２０の形状も足を置くことができれば特に限定されるものではなく、例えば、平面視で円形、ハ−ト形等であっても良い。従って、防水パン２０のドアパネル側から、足を置く部位である中央部位間を、図６、図７にて示すように平坦部２０としても良いことは勿論である。こうすることによって足元が安定なステ−ジができ、転倒等の事故の発生も防ぐことができることとなる。
【００１８】
【発明の効果】
本発明は以上の通りの防水パンにかかるものであり、シャワ−ユニットの防水パンに排水トラップに向けた排水勾配を確保すると共に、足を置くに際しての部位を平坦部となし、足元の安全性の高い防水パンを提供できたものである。
【図面の簡単な説明】
【図１】図１は本発明の防水パンの第１実施例を示す平面図である。
【図２】図２は図１の主要部の断面図である。
【図３】図３は本発明の防水パンの第２実施例を示す平面図である。
【図４】図４は図３の主要部の断面図である。
【図５】図５は本発明の防水パンの第３実施例を示す断面図である。
【図６】図６は本発明の防水パンの第４実施例を示す平面図である。
【図７】図７は図６の主要部の断面図である。
【図８】図８は従来の防水パンの１例を示す断面図である。
【図９】図９は従来の防水パンの別例を示す断面図である。
【符号の説明】
１０‥発明の防水パン、
１１‥排水穴、
１２‥補強材、
１３‥脚ボルト、
１４‥排水トラップ、
２０‥防水パンの中央部位の平坦部、
２１‥平坦部の周囲の傾斜面、
２２‥排水溝、
２３‥突起。
【図１】
2004124565.tif 000003
【図２】
2004124565.tif 000004
【図３】
2004124565.tif 000005
【図４】
2004124565.tif 000006
【図５】
2004124565.tif 000007
【図６】
2004124565.tif 000008
【図７】
2004124565.tif 000009
【図８】
2004124565.tif 000010
【図９】
2004124565.tif 000011